(57)【要約】【課題】着用者の身体によりフィットさせた使い捨ておむつを提供することを目的とする。【解決手段】上下方向、左右方向、及び前後方向を有し、吸収性コア（１１Ａ）、腹側胴回り部（２０）、及び背側胴回り部（３０）を有するパンツ型吸収性物品（１）であって、前記吸収性コア（１１Ａ）は、前記腹側胴回り部（２０）又は前記背側胴回り部（２０）の少なくとも一方と前記前後方向において重なる領域に、前記左右方向に所定の長さを有する圧搾部（Ｅ）を少なくとも１つ有していることを特徴とするパンツ型吸収性物品（１）である。【選択図】図２
2019118584.tif 000002
【特許請求の範囲】
【請求項１】
上下方向、左右方向、及び前後方向を有し、
吸収性コア、腹側胴回り部、及び背側胴回り部を有するパンツ型吸収性物品であって、
前記吸収性コアは、前記腹側胴回り部又は前記背側胴回り部の少なくとも一方と前記前後方向において重なる重なり領域に、前記左右方向に所定の長さを有する圧搾部を少なくとも１つ有していること
を特徴とするパンツ型吸収性物品。
【請求項２】
請求項１に記載のパンツ型吸収性物品において、
前記重なり領域に設けられている全ての前記圧搾部の前記左右方向の長さの和は、前記上下方向の長さの和よりも大きいことを特徴とするパンツ型吸収性物品。
【請求項３】
請求項１又は２に記載のパンツ型吸収性物品において、
前記腹側胴回り部、及び前記背側胴回り部は、前記左右方向に伸縮する胴回り伸縮部材をそれぞれ有し、
前記腹側胴回り部、及び前記背側胴回り部は、前記胴回り伸縮部材とともに伸縮する伸縮領域と、伸縮しない非伸縮領域をそれぞれ有しており、
少なくとも１つの前記圧搾部は、前後方向において前記非伸縮領域と重なることを特徴とするパンツ型吸収性物品。
【請求項４】
請求項３に記載のパンツ型吸収性物品において、
前記圧搾部の前記左右方向の中央は、前記吸収性コアの左右方向の中央であり、
前記非伸縮領域は、前記腹側胴回り部の前記左右方向の中央部に設けられており、
前記圧搾部の前記左右方向の両端は、前記非伸縮領域の前記左右方向の両端よりもそれぞれ外側に設けられていることを特徴とするパンツ型吸収性物品。
【請求項５】
請求項３に記載のパンツ型吸収性物品において、
前記圧搾部の前記左右方向の中央は、前記吸収性コアの左右方向の中央であり、
前記非伸縮領域は、前記腹側胴回り部及び前記背側胴回り部の前記左右方向の中央部に設けられており、
前記圧搾部の前記左右方向の両端は、前記非伸縮領域の前記左右方向の両端よりもそれぞれ内側に設けられていることを特徴とするパンツ型吸収性物品。
【請求項６】
請求項３に記載のパンツ型吸収性物品において、
前記圧搾部の前記左右方向の中央は、前記吸収性コアの左右方向の中央であり、
前記非伸縮領域は、前記腹側胴回り部又は前記背側胴回り部の前記左右方向の中央部に設けられており、
前記腹側胴回り部又は前記背側胴回り部の少なくとも一方は、
前記圧搾部の前記左右方向の両端が、前記非伸縮領域の前記左右方向の両端よりもそれぞれ外側に設けられている長圧搾部と、
前記圧搾部の前記左右方向の両端が、前記非伸縮領域の前記左右方向の両端よりもそれぞれ内側に設けられている短圧搾部と、を有することを特徴とするパンツ型吸収性物品。
【請求項７】
請求項３に記載のパンツ型吸収性物品において、
前記腹側胴回り部及び前記背側胴回り部は、それぞれ前記圧搾部を有し、
前記圧搾部の前記左右方向の中央は、前記吸収性コアの左右方向の中央であり、
前記非伸縮領域は、前記腹側胴回り部及び前記背側胴回り部の前記左右方向の中央部に設けられており、
前記腹側胴回り部の前記圧搾部の前記左右方向の両端は、前記非伸縮領域の前記左右方向の両端よりもそれぞれ外側に設けられており、
前記背側胴回り部の前記圧搾部の前記左右方向の両端は、前記非伸縮領域の前記左右方向の両端よりもそれぞれ内側に設けられていることを特徴とするパンツ型吸収性物品。
【請求項８】
請求項３に記載のパンツ型吸収性物品において、
前記腹側胴回り部及び前記背側胴回り部は、それぞれ前記圧搾部を有し、
前記圧搾部の前記左右方向の中央は、前記吸収性コアの左右方向の中央であり、
前記非伸縮領域は、前記腹側胴回り部及び前記背側胴回り部の前記左右方向の中央部に設けられており、
前記腹側胴回り部の前記圧搾部の前記左右方向の両端は、前記非伸縮領域の前記左右方向の両端よりもそれぞれ内側に設けられており、
前記背側胴回り部の前記圧搾部の前記左右方向の両端は、前記非伸縮領域の前記左右方向の両端よりもそれぞれ外側に設けられていることを特徴とするパンツ型吸収性物品。
【請求項９】
請求項１から８のいずれか１項に記載のパンツ型吸収性物品において、
前記腹側胴回り部、及び前記背側胴回り部は、前記左右方向に伸縮する胴回り伸縮部材をそれぞれ有し、
前記前後方向において、少なくとも１つの前記胴回り伸縮部材が前記圧搾部と重なっていることを特徴とするパンツ型吸収性物品。
【請求項１０】
請求項１から９のいずれか１項に記載のパンツ型吸収性物品において、
前記吸収性コアは、前記前後方向に貫通した貫通孔を有しており、
前記圧搾部と前記貫通孔は、前記上下方向において重なっていることを特徴とするパンツ型吸収性物品。
【請求項１１】
請求項１から１０のいずれか１項に記載のパンツ型吸収性物品において、
複数の前記圧搾部が、前記上下方向に等間隔に配置されていることを特徴とするパンツ型吸収性物品。
【請求項１２】
請求項１から１１のいずれか１項に記載のパンツ型吸収性物品において、
前記吸収性コアは、２つ折りされており、前側に位置する前側コア部と、後側に位置する後側コア部を有し、
前記前側コア部は、上部よりも前記左右方向の長さが短い幅狭部を有し、
前記幅狭部の少なくとも一部が前記腹側胴回り部の下端よりも上側に設けられており、
前記圧搾部が前記幅狭部に設けられていることを特徴とするパンツ型吸収性物品。
【請求項１３】
請求項１から１１のいずれか１項に記載のパンツ型吸収性物品において、
複数の前記圧搾部が、前記重なり領域と、前記吸収性コアと前記腹側胴回り部と前後方向において重ならない非重なり領域に設けられており、
前記吸収性コアは、２つ折りされており、前側に位置する前側コア部と、後側に位置する後側コア部を有し、
前記重なり領域に設けられた複数の前記圧搾部のうち、最も下側に位置する胴回り下側圧搾部と、前記胴回り下側圧搾部に上側から隣接する隣接胴回り下側圧搾部との間隔は、
前記非重なり領域に設けられた複数の前記圧搾部のうち、最も下側に位置する下側圧搾部と、前記下側圧搾部に上側から隣接する隣接下側圧搾部との間隔よりも大きいことを特徴とするパンツ型吸収性物品。
【請求項１４】
請求項１３に記載のパンツ型吸収性物品において、
前記下側圧搾部と前記隣接下側圧搾部との間隔は、
前記非重なり領域に設けられた複数の前記圧搾部のうち、最も上側に位置する上側圧搾部と、前記上側圧搾部に下側から隣接する隣接上側圧搾部との間隔よりも小さいことを特徴とするパンツ型吸収性物品。
【発明の詳細な説明】
【技術分野】
【０００１】
本発明は、パンツ型吸収性物品に関する。
【背景技術】
【０００２】
従来、吸収性物品の一例としてパンツ型使い捨てが知られている。例えば、特許文献１には、前胴回り域１１、後胴回り域１２、及び吸収構造体２１を有する使い捨ておむつ１０が開示されている。
【先行技術文献】
【特許文献】
【０００３】
【特許文献１】特開２０１７−１２４５９号公報
【発明の概要】
【発明が解決しようとする課題】
【０００４】
しかし、特許文献１のような使い捨ておむつ１０においては、前胴回り域１１や後胴回り域１２は、着用者の動きに追従しやすいが、吸収構造体２１は、前胴回り域１１や後胴回り域１２よりも厚みが大きいため、着用者が動くと吸収構造体２１が非肌側に浮いてしまう恐れがある。
【０００５】
本発明は、上記のような問題に鑑みてなされたものであって、使い捨ておむつを着用者の身体によりフィットさせることを目的とする。
【課題を解決するための手段】
【０００６】
上記目的を達成するための主たる発明は、上下方向、左右方向、及び前後方向を有し、吸収性コア、腹側胴回り部、及び背側胴回り部を有するパンツ型吸収性物品であって、前記吸収性コアは、前記腹側胴回り部又は前記背側胴回り部の少なくとも一方と前記前後方向において重なる重なり領域に、前記左右方向に所定の長さを有する圧搾部を少なくとも１つ有していることを特徴とするパンツ型吸収性物品である。
本発明の他の特徴については、本明細書及び添付図面の記載により明らかにする。
【発明の効果】
【０００７】
このようなパンツ型吸収性物品によれば、吸収性コアの左右方向の剛性を向上させることで、吸収性コアを平面に保ちやすくし、吸収性コアが非肌側に浮いてしまう恐れを軽減させることができる。
【図面の簡単な説明】
【０００８】
【図１】図１Ａは、パンツ型使い捨ておむつ１の概略斜視図である。図１Ｂは、おむつ１の着用状態の一例を示す図である。
【図２】図２は、展開状態且つ伸長状態のおむつ１を肌側面側から見た概略平面図である。
【図３】図３は、図２中のＡ−Ａ矢視で示す概略断面図である。
【図４】図４は、図２中のＢ−Ｂ矢視で示す概略断面図である。
【図５】図５は、吸収体１１を説明する図である。
【図６】図６は、図２の概略平面図の構成を説明する概略図である。
【図７】図７Ａは、おむつ１の脚回り開口部ＬＨの大きさについて説明する図である。図７Ｂは、図７Ａ中のＸ−Ｘ矢視で示す領域における吸収性コア１１Ａの概略断面図である。
【図８】図８は、伸縮領域Ｄｆ、Ｄｂと非伸縮領域Ｆｆ、Ｆｂを説明する図である。
【図９】図９は、別の実施形態にかかる吸収体１１を説明する図である。
【図１０】図１０は、別の実施形態にかかる圧搾部Ｅと、伸縮領域Ｄｆ、Ｄｂ及び非伸縮領域Ｆｆ、Ｆｂについて説明する図である。
【図１１】図１１は、別の実施形態にかかる圧搾部と、伸縮領域Ｄｆ、Ｄｂ及び非伸縮領域Ｆｆ、Ｆｂについて説明する図である。
【図１２】図１２は、別の実施形態にかかる展開状態且つ伸長状態のおむつ１を肌側から見た概略平面図である。
【発明を実施するための形態】
【０００９】
本明細書及び添付図面の記載により、少なくとも以下の事項が明らかとなる。
上下方向、左右方向、及び前後方向を有し、吸収性コア、腹側胴回り部、及び背側胴回り部を有するパンツ型吸収性物品であって、前記吸収性コアは、前記腹側胴回り部又は前記背側胴回り部の少なくとも一方と前記前後方向において重なる重なり領域に、前記左右方向に所定の長さを有する圧搾部を少なくとも１つ有していることを特徴とするパンツ型吸収性物品である。
【００１０】
このようなパンツ型吸収性物品によれば、吸収性コアの左右方向の剛性を向上させることで、吸収性コアを平面に保ちやすくし、吸収性コアが非肌側に浮いてしまう恐れを軽減させることができる。
【００１１】
かかるパンツ型吸収性物品であって、前記重なり領域に設けられている全ての前記圧搾部の前記左右方向の長さの和は、前記上下方向の長さの和よりも大きいことが望ましい。
【００１２】
このようなパンツ型吸収性物品によれば、全ての圧搾部の左右方向の長さの和が、上下方向の長さの和よりも小さい場合よりも、圧搾部によって左右方向の剛性を向上させることができる。
【００１３】
かかるパンツ型吸収性物品であって、前記腹側胴回り部、及び前記背側胴回り部は、前記左右方向に伸縮する胴回り伸縮部材をそれぞれ有し、前記腹側胴回り部、及び前記背側胴回り部は、前記胴回り伸縮部材とともに伸縮する伸縮領域と、伸縮しない非伸縮領域をそれぞれ有しており、少なくとも１つの前記圧搾部は、前後方向において前記非伸縮領域と重なることが望ましい。
【００１４】
このようなパンツ型吸収性物品によれば、収縮力が働かない非伸縮領域においても、圧搾部の剛性によって吸収性コアが着用者の肌から離れにくくすることができる。
【００１５】
かかるパンツ型吸収性物品であって、前記圧搾部は、前記左右方向に沿った直線である前記圧搾部の前記左右方向の中央は、前記吸収性コアの左右方向の中央であり、前記非伸縮領域は、前記腹側胴回り部の前記左右方向の中央部に設けられており、前記圧搾部の前記左右方向の両端は、前記非伸縮領域の前記左右方向の両端よりもそれぞれ外側に設けられていることが望ましい。
【００１６】
このようなパンツ型吸収性物品によれば、吸収性コアが肌に接する状態を保ちやすくすることができる。
【００１７】
かかるパンツ型吸収性物品であって、前記圧搾部の前記左右方向の中央は、前記吸収性コアの左右方向の中央であり、前記非伸縮領域は、前記腹側胴回り部及び前記背側胴回り部の前記左右方向の中央部に設けられており、前記圧搾部の前記左右方向の両端は、前記非伸縮領域の前記左右方向の両端よりもそれぞれ内側に設けられていることが望ましい。
【００１８】
このようなパンツ型吸収性物品によれば、腹側の胴回り伸縮部材の収縮で縮めてより固くなった吸収性コアの領域がより一層硬くなる恐れを軽減させて、着用時の肌触りを向上させることができる。
【００１９】
かかるパンツ型吸収性物品であって、前記圧搾部の前記左右方向の中央は、前記吸収性コアの左右方向の中央であり、前記非伸縮領域は、前記腹側胴回り部又は前記背側胴回り部の前記左右方向の中央部に設けられており、前記腹側胴回り部又は前記背側胴回り部の少なくとも一方は、前記圧搾部の前記左右方向の両端が、前記非伸縮領域の前記左右方向の両端よりもそれぞれ外側に設けられている長圧搾部と、前記圧搾部の前記左右方向の両端が、前記非伸縮領域の前記左右方向の両端よりもそれぞれ内側に設けられている短圧搾部と、を有することが望ましい。
【００２０】
このようなパンツ型吸収性物品によれば、長圧搾部を有することで、吸収性コアが肌に接する状態を保ちつつ、短圧搾部を有することで、腹側の胴回り伸縮部材の収縮で縮めてより固くなった吸収性コアの領域が硬くなるのを軽減させて、着用時の肌触りを向上させることができる。
【００２１】
かかるパンツ型吸収性物品であって、前記腹側胴回り部及び前記背側胴回り部は、それぞれ前記圧搾部を有し、前記圧搾部の前記左右方向の中央は、前記吸収性コアの左右方向の中央であり、前記非伸縮領域は、前記腹側胴回り部及び前記背側胴回り部の前記左右方向の中央部に設けられており、前記腹側胴回り部の前記圧搾部の前記左右方向の両端は、前記非伸縮領域の前記左右方向の両端よりもそれぞれ外側に設けられており、前記背側胴回り部の前記圧搾部の前記左右方向の両端は、前記非伸縮領域の前記左右方向の両端よりもそれぞれ内側に設けられていることが望ましい。
【００２２】
このようなパンツ型吸収性物品によれば、吸収性コアが前側に突出しやすい前側の吸収性コアの左右方向の剛性をより高くして、吸収性コアが前側に突出するのを軽減し、吸収性コアの突出が比較的少ない後側コア部は、吸収性コアの左右方向の剛性をより低くして着用者の身体の形状に沿いやすくすることができる。
【００２３】
かかるパンツ型吸収性物品であって、前記腹側胴回り部及び前記背側胴回り部は、それぞれ前記圧搾部を有し、前記圧搾部の前記左右方向の中央は、前記吸収性コアの左右方向の中央であり、前記非伸縮領域は、前記腹側胴回り部及び前記背側胴回り部の前記左右方向の中央部に設けられており、前記腹側胴回り部の前記圧搾部の前記左右方向の両端は、前記非伸縮領域の前記左右方向の両端よりもそれぞれ内側に設けられており、前記背側胴回り部の前記圧搾部の前記左右方向の両端は、前記非伸縮領域の前記左右方向の両端よりもそれぞれ外側に設けられていることが望ましい。
【００２４】
このようなパンツ型吸収性物品によれば、腹側においては、乳幼児の身体は腹部が前にせり出しているため、胴回り伸縮部材の収縮によって縮められた吸収性コアと圧搾部が重なって硬くなってしまう恐れを軽減する一方、背側においては、より左右方向に長い圧搾部を設けることで吸収性コアを肌に密着させやすくすることができる。
【００２５】
かかるパンツ型吸収性物品であって、前記腹側胴回り部、及び前記背側胴回り部は、前記左右方向に伸縮する胴回り伸縮部材をそれぞれ有し、前記前後方向において、少なくとも１つの前記胴回り伸縮部材が前記圧搾部と重なっていることが望ましい。
【００２６】
このようなパンツ型吸収性物品によれば、圧搾部と前後方向において重なる胴回り伸縮部材が圧搾部に、左右方向に伸縮する力が直接的に働くため、吸収性コアを肌に接する状態を維持しやすくなる。
【００２７】
かかるパンツ型吸収性物品であって、前記吸収性コアは、前記前後方向に貫通した貫通孔を有しており、前記圧搾部と前記貫通孔は、前記上下方向において重なっていることが望ましい。
【００２８】
このようなパンツ型吸収性物品によれば、貫通孔によって変形が促されやすい吸収性コアを圧搾部の剛性によって、吸収性コアの形状を保ちやすくすることができる。
【００２９】
かかるパンツ型吸収性物品であって、複数の前記圧搾部が、前記上下方向に等間隔に配置されていることが望ましい。
【００３０】
このようなパンツ型吸収性物品によれば、圧搾部を等間隔に備えることで、吸収性コアに均等な剛性を与えることができる。
【００３１】
かかるパンツ型吸収性物品であって、前記吸収性コアは、２つ折りされており、前側に位置する前側コア部と、後側に位置する後側コア部を有し、前記前側コア部は、上部よりも前記左右方向の長さが短い幅狭部を有し、前記幅狭部の少なくとも一部が前記腹側胴回り部の下端よりも上側に設けられており、前記圧搾部が前記幅狭部に設けられていることが望ましい。
【００３２】
このようなパンツ型吸収性物品によれば、幅狭部によって、乳幼児のように脚を前に出した姿勢の着用者の脚を動かしやすくしつつ、着用者が脚を左右方向に閉じて、幅狭部の前側コア部１１Ａｆの左右方向の端に左右方向の力が集中した場合でも、圧搾部を設けて左右方向の剛性を高めることで、吸収性コアの形状を維持しやすくすることができる。
【００３３】
かかるパンツ型吸収性物品であって、複数の前記圧搾部が、前記重なり領域と、前記吸収性コアと前記腹側胴回り部と前後方向において重ならない非重なり領域に設けられており、前記吸収性コアは、２つ折りされており、前側に位置する前側コア部と、後側に位置する後側コア部を有し、前記重なり領域に設けられた複数の前記圧搾部のうち、最も下側に位置する胴回り下側圧搾部と、前記胴回り下側圧搾部に上側から隣接する隣接胴回り下側圧搾部との間隔は、前記非重なり領域に設けられた複数の前記圧搾部のうち、最も下側に位置する下側圧搾部と、前記下側圧搾部に上側から隣接する隣接下側圧搾部との間隔よりも大きいことが望ましい。
【００３４】
このようなパンツ型吸収性物品によれば、吸収性コアが変形しやすい部分には、圧搾部をより多く設けて剛性を向上させることができ、吸収性コアの変形が少ない部分には、圧搾部をより少なく設けることができる。
【００３５】
かかるパンツ型吸収性物品であって、前記下側圧搾部と前記隣接下側圧搾部との間隔は、前記非重なり領域に設けられた複数の前記圧搾部のうち、最も上側に位置する上側圧搾部と、前記上側圧搾部に下側から隣接する隣接上側圧搾部との間隔よりも小さいことが望ましい。
【００３６】
このようなパンツ型吸収性物品によれば、吸収性コアが変形しやすい部分には、圧搾部をより多く設けて剛性を向上させることができ、吸収性コアの変形が少ない部分には、圧搾部をより少なく設けることができる。
【００３７】
＝＝＝実施形態＝＝＝
＜＜＜パンツ型使い捨ておむつの基本構成＞＞＞
図１Ａは、パンツ型使い捨ておむつ１の概略斜視図である。図１Ｂは、おむつ１の着用状態の一例を示す図である。図２は、展開状態且つ伸長状態のおむつ１を肌側面側から見た概略平面図である。図３は、図２中のＡ−Ａ矢視で示す概略断面図である。図４は、図２中のＢ−Ｂ矢視で示す概略断面図である。「展開状態」とは、おむつ１の両側部の、腹側胴回り部２０の側部２０ａと背側胴回り部３０の側部３０ａとの接合をそれぞれ分離し、開いておむつ１全体を平面的に展開した状態である。「伸長状態」とは、おむつ１の皺が視認できなくなる程度まで、おむつ１が備える伸縮部材を伸長させた状態を示す。具体的には、おむつ１を構成する各部材（例えば、後述する腹側胴回り部２０等）の寸法がその部材単体の寸法と一致又はそれに近い寸法になるまで伸長させた状態を示す。図２中のＣ−Ｃ線は左右方向における中心線である。図３では、便宜上、接着剤を省略して示している。
【００３８】
図１に示すように、パンツ型のおむつ１は上下方向と左右方向と前後方向とを有し、おむつ１には胴回り開口部ＢＨ及び一対の脚回り開口部ＬＨが形成されている。上下方向において、胴回り開口部ＢＨ側を上側とし、着用者の股下となる側を下側とする。図２の状態（展開かつ伸長状態）のおむつ１の上下方向を「長手方向」、長手方向の一方側を「腹側」、他方側を「背側」ともいい、長手方向における中央部Ｃ１０側を「下側」ともいう。前後方向において、着用者の腹側となる側を前側とし、着用者の背側となる側を後側とする。また、おむつ１は図３に示すように厚さ方向を有し、厚さ方向において着用者に接触する側を肌側とし、その逆側を非肌側とする。
【００３９】
おむつ１は、所謂３ピースタイプであり、吸収性本体１０と腹側胴回り部２０、背側胴回り部３０とを有する。腹側胴回り部２０は、着用者の腹側を覆い、背側胴回り部３０は、着用者の背側を覆う。吸収性本体１０は平面視略長方形形状である。図３に示すように、吸収性本体１０の腹側の上端部と背側の上端部は、それぞれ胴回り部２０、３０の肌側面と重ね合されている。腹側胴回り部２０、背側胴回り部３０は平面視略長方形状であり、その長手方向が左右方向に沿っている。
【００４０】
図２の展開状態にて示されるように、おむつ１は、中心線Ｃ−Ｃに対して左右対称な形状を有している。吸収性本体１０の腹側の上端部、及び背側の上端部のそれぞれ非肌側面と胴回り部２０、３０の肌側面とを接着剤等（不図示）により接合し、図２に示す展開状態から、腹側胴回り部２０と背側胴回り部３０とが対向するように吸収性本体１０を中央部Ｃ１０で二つ折りし、腹側胴回り部２０の左右方向の両側部２０ａと背側胴回り部３０の左右方向の両側部３０ａとを接合することにより、おむつ１はパンツ型となる。
【００４１】
腹側胴回り部２０及び背側胴回り部３０はそれぞれ、不織布等の柔軟な肌側シート２１、３１と非肌側シート２２、３２と、胴回り伸縮部材２３、３３とを備える。胴回り伸縮部材２３、３３によって、腹側胴回り部２０及び背側胴回り部３０は伸縮可能となり、着用者の胴回りにフィットする。肌側シート２１、３１及び非肌側シート２２、３２は、各シート単体としては、左右方向に伸縮性を実質的に有さない非伸縮シートである。肌側シート２１、３１及び非肌側シート２２、３２としては、ＳＭＳ不織布（スパンボンド・メルトブローン・スパンボンド不織布）、スパンボンド不織布、エアスルー不織布、プラスチックシート、開孔プラスチックシート及びそれらのラミネートシート等を用いることができる。
【００４２】
腹側胴回り伸縮部材２３は、左右に伸縮する複数の糸ゴム２３ａと上下及び左右方向に伸縮する伸縮シート２３ｂである。糸ゴム２３ａは、肌側シート２１と非肌側シート２２との間で、且つ、腹側胴回り部２０の上端部を除く全域に上下方向に間隔を空けて、左右方向に伸長した状態で固定されている。伸縮シート２３ｂは、非肌側から肌側に折り返された非肌側シート２２と肌側シート２１との間で、吸収性本体１０よりも非肌側に配置され、且つ、腹側胴回り部２０の上端部に、左右方向に伸長した状態で固定されている。伸縮シート２３ｂは、弾性を有する熱可塑性エラストマー性繊維であるポリウレタン系エラストマーと、非弾性を有する熱可塑性樹脂性繊維であるポリオレフィン系樹脂のポリプロピレン（ＰＰ）とを有する、ギア延伸等の適宜な延伸処理が施された不織布やプラスチック製の伸縮性を有するフィルムシート等である。
【００４３】
このように、腹側胴回り部２０の上端部に糸ゴム２３ａを配置せずに伸縮シート２３ｂを配置することで、腹側胴回り部２０の上端部が面で着用者にフィットする。そのため、腹部の局所的な締め付けを抑え、腹側胴回り伸縮部材２３によって肌に締め付けた跡が残り難くすることができる。特に、乳幼児の腹部は、背側に比べて前にせり出しているため、腹側胴回り２０が局所的に締め付けてしまう恐れを軽減することがより好ましい。
【００４４】
背側胴回り伸縮部材２３は、背側胴回り部３０の上端部から下端部に亘って上下方向に間隔を空けて配された、左右方向に伸縮する複数の糸ゴム３３であり、肌側シート３１と非肌側シート３２との間に左右方向に伸長した状態で固定されている。
【００４５】
なお、腹側胴回り部２０及び背側胴回り部３０は、それぞれ腹側胴回り伸縮部材２３及び背側胴回り伸縮部材３３とともに伸縮する伸縮領域Ｄｆ、Ｄｂと、腹側胴回り伸縮部材２３及び背側胴回り伸縮部材３３とともに伸縮しない非伸縮領域Ｆｆ、Ｆｂを有する。図８は、伸縮領域Ｄｆ、Ｄｂと非伸縮領域Ｆｆ、Ｆｂを説明する図である。図８において、右斜め下のハッチングで伸縮領域Ｄｆ、Ｄｂを示し、左斜め下のハッチングで非伸縮領域Ｆｆ、Ｆｂを示している。非伸縮領域Ｆｆ、Ｆｂは、腹側胴回り部２０及び背側胴回り部３０のそれぞれ左右方向の中央部で、吸収性コア１１Ａと前後方向で重なる領域に設けられている。非伸縮領域Ｆｆ、Ｆｂを設けることで、伸縮部材２３、３３の収縮によって吸収性コア１１Ａが左右方向に縮められて変形してしまう恐れを軽減している。
【００４６】
図４は、図２中のＢ−Ｂ矢視で示す概略断面図である。図４は、厚さ方向に関して構成を理解しやすいように寸法を適宜変更して示している。図４に示すように、吸収性本体１０は、厚さ方向の肌側から順に、一対の防漏壁部材１５、トップシート１２、吸収体１１と、バックシート１３、外装シート１４とを備え、それぞれホットメルト等の接着剤によって接着されている。トップシート１２は液透過性シートであればよく、親水性のエアスルー不織布やスパンボンド不織布等を例示できる。バックシート１３は液不透過性シートであればよく、ポリエチレンフィルムやポリプロピレンフィルム、疎水性のＳＭＳ不織布等を例示できる。トップシート１２及びバックシート１３は吸収体１１全体を覆う大きさとする。防漏壁部材１５及び外装シート１４は、液透過性シートでも液不透過性シートでもよく、疎水性のＳＭＳ不織布等を例示できる。ただし、本実施形態では防漏壁部材１５及び外装シート１４によって防漏壁部５０及びレッグギャザー部６０がそれぞれ形成されるため、防漏壁部材１５及び外装シート１４は液不透過性の素材で構成されることが好ましい。
【００４７】
吸収体１１は、平面視略矩形形状であり、尿等の液体を吸収して保持する吸収性コア１１Ａと、吸収性コア１１Ａの外周面を被覆するコアラップシート１１Ｂとを備える。図５は、吸収体１１を説明する図である。コアラップシート１１Ｂとしては、ティッシュペーパーや不織布等の液透過性シートを例示できる。図５において、便宜上、コアラップシート１１Ｂに覆われた吸収性コア１１Ａを実線で示している。
【００４８】
吸収性コア１１Ａは、高吸収性ポリマー（ＳＡＰ）を含むパルプ等の液体吸収性繊維を略砂時計形状に成形されたものである。本実施形態において、吸収性コア１１Ａの液体吸収性繊維の坪量は、吸収性コア１１Ａ全域において略均一である。吸収性コア１１Ａのうち、中央部Ｃ１０より腹側（前側）に位置する部分は前側コア部１１Ａｆであり、中央部Ｃ１０より背側（後側）に位置する部分は後側コア部１１Ａｂである。図５等に示すように、吸収性コア１１Ａの長手方向の中央部を左右方向の長さを短くし、くびれさせている。具体的には、前側コア部１１Ａｆの上部１１ｆｕより下側に前側幅狭部（「幅狭部」ともいう。）１１ｆｎと、後側コア部１１Ａｂの上部１１ｂｕより下側に後側幅狭部１１ｂｎを設けている。前側幅狭部１１ｆｎの長手方向の長さは、後側幅狭部１１ｂｎの長手方向の長さよりも長い。また、吸収性コア１１Ａの左右方向の長さが一番短い部分である最狭部１１ｎは、前側コア部１１Ａｆの幅狭部１１ｆｎに設けられている。前側コア部１１Ａｆに、前側幅狭部１１ｆｎを設けることで、脚を前側に出した姿勢でいることが多い乳幼児が着用して、左右方向に脚を閉じた場合であっても、吸収性コア１１Ａが脚の動きを妨げる恐れを軽減させることができる。
【００４９】
さらに、吸収性コア１１Ａには、左右方向に沿った形状の圧搾部Ｅが、上下方向に所定の間隔毎に複数設けられている。圧搾部Ｅについては、後述する。また、後側コア部１１Ａｂに、厚さ方向（前後方向）に貫通したスリット（貫通孔）Ｓを備えることで、吸収性コア１１Ａが着用者のお尻の形状に沿いやすくしている。
【００５０】
一対の防漏壁部材１５は、一対の防漏壁部５０を構成する。一対の防漏壁部５０は、所謂立体ギャザーであり、吸収性本体１０の長手方向に沿って、吸収体１１の左右方向の両側部に設けられている。具体的には、複数の防漏壁伸縮部材５１を内側に挟んだ状態で二つ折りされた防漏壁部材１５の折り目部分を左右方向の内側に配置し、吸収性本体１０の左右方向の側端から吸収体１１の左右方向の側部に重ね合される位置まで設けている。
【００５１】
図６は、図２の概略平面図の構成を説明する概略図である。なお、図６では、便宜上、図２の概略平面図から胴回り伸縮部材２３、３３やスリットＳ等を省略して示している。一対の防漏壁部５０は、外装シート１４やトップシート１２に防漏壁部材１５を接合する一対のエンド接合部５２と一対のサイド接合部５３と、長手方向（上下方向）に伸縮する複数の防漏壁伸縮部材５１を備え、肌側に起立不能な一対の固定部５５、５５と、肌側に起立可能な一対の起立部５６を備える。防漏壁部５０のうち、腹側胴回り部２０の側の上端からエンド接合部５２の下端まで、及び背側胴回り部３０の側の上端からエンド接合部５２の下端までの各領域が固定部５５である。そして、防漏壁部５０のうち、腹側胴回り部２０の側におけるエンド接合部５２の下端より下側で、且つ、背側胴回り部３０の側におけるエンド接合部５２の下端より下側の領域が起立部５６である。この防漏壁部５０によって横流れした排泄物が堰き止められる。
【００５２】
一対のエンド接合部５２及び一対のサイド接合部５３は、ホットメルト接着剤等の接着剤で接合している部分である。なお、エンド接合部５２及びサイド接合部５３の接合は、接着剤による固定に限らず、圧搾や圧着等により固定を行ってもよい。
【００５３】
一対のエンド接合部５２は、吸収性本体１０の長手方向の両端部に配置されており、固定部５５を肌側に起立不能とするための「接着部」である。エンド接合部５２は、長手方向において、吸収性本体１０の端から吸収体１１の上側端部に重なる位置まで設けられている。一対のサイド接合部５３は、吸収性本体１０の長手方向の一端から他端まで設けられているものと吸収性本体１０の腹側の端から長手方向の中央部Ｃ１０まで設けられているものとがある。それぞれエンド接合部５２よりも左右方向の外側に配置されている。
【００５４】
防漏壁部５０は、防漏壁伸縮部材５１の収縮によって、サイド接合部５３に左右方向内側から隣接する部分を基点に起立部５６が肌側に起立可能となる。なお、複数本の防漏壁伸縮部材５１をそれぞれ離間させて設けることで、防漏壁部５０の起立状態では、着用者の肌に防漏壁部５０を面で接触させやすくなり、肌触りを向上させることができる。
【００５５】
外装シート１４は、脚回り伸縮部材１６を備えた一対のレッグギャザー部６０を構成する。レッグギャザー部６０は、脚回り開口部ＬＨを形成する部分であり、脚回り伸縮部材１６の収縮により着用者の脚にフィットする。
【００５６】
左右方向の両端部が内側に折り返されており、折り返された外装シート１４同士の間に脚回り伸縮部材１６を配置して、レッグギャザー部６０を構成する。脚回り伸縮部材１６は、長手方向に沿った複数本の糸ゴムであり、左右方向の内側に折り返されて２層となった外装シート１４の間に、吸収性本体１０の長手方向に伸長された状態で固定されている。
【００５７】
脚回り伸縮部材１６として糸ゴムを用いる場合、複数本配置することが好ましく、より好ましくは５本以上配置することがよい。図２等においては、８本の脚回り伸縮部材１６を左右方向に並べて配置している。仮に脚回り伸縮部材１６が１本の場合には、着用者の脚を局所的に締め付けてしまう恐れがあるが、脚回り伸縮部材１６をより多く設けることで、レッグギャザー部６０は全体的に面でフィットしやすくなり、着用者の脚を局所的に締め付けてしまう恐れを軽減させることができる。
【００５８】
上述のとおり、腹側胴回り部２０及び背側胴回り部３０は、それぞれ左右方向に伸縮する伸縮部材２３、３３を備えているため、着用者である乳幼児の動きに応じて、伸縮部材２３、３３が伸縮することで、乳幼児の胴回りにフィットさせている。一方、吸収性本体１０は、左右方向に伸縮する伸縮部材を備えていない。そのため、乳幼児が動いて腹側胴回り部２０と背側胴回り部３０が、その動きに追従したとしても、吸収性本体１０は、腹側胴回り部２０及び背側胴回り部３０ほどには追従しづらく、乳幼児が身体を動かすと、吸収性本体１０の中央部が非肌側に浮いてしまって、乳幼児の身体から離れてしまう恐れがある。特に、図１Ａ等に示すおむつ１においては、腹側胴回り部２０及び背側胴回り部３０のそれぞれ左右方向の中央部で、吸収性コア１１Ａと前後方向で重なる領域に設けられた非伸縮領域Ｆｆ、Ｆｂは左右方向に伸縮しないため、図１Ｂに示すように脚を前に出した姿勢でいる乳幼児が脚を動かすと、吸収性本体１０のうち、吸収性コア１１Ａの非伸縮領域Ｆｆ、Ｆｂと前後方向で重なる非伸縮領域Ｌの吸収性本体１０の左右方向の中央部が非肌側に浮いてしまう恐れがある。この場合、吸収性本体１０の左右方向の中央部から上側に向かって排泄物が漏れてしまう恐れを生じてしまう。
【００５９】
吸収性本体１０が乳幼児の身体から離れてしまう恐れを軽減させるために、おむつ１の吸収性コア１１Ａに圧搾部Ｅを設けている。以下、圧搾部Ｅについて説明する。
【００６０】
＝＝＝圧搾部Ｅ＝＝＝
圧搾部Ｅは、複数の突部を有する凸ローラー（不図示）と、表面が平らなアンビルローラー（不図示）とのあいだのロール間隙に、加工前の吸収性コア１１Ａを通して、吸収性コアの非肌側から圧搾加工を行うことにより形成される。図７Ｂは、図７Ａ中のＸ−Ｘ矢視で示す領域における吸収性コア１１Ａの概略断面図である。吸収性コア１１Ａのうち、圧搾加工を行っていない領域は、非圧搾部Ｕである。
【００６１】
圧搾部Ｅは、圧搾によって形成された溝であり、非圧搾部Ｕよりもパルプ等の液体吸収性繊維の密度が高く、非圧搾部Ｕよりも剛性が高い。本実施形態において、圧搾部Ｅの溝の深さは略均一である。溝の深さによって、液体吸収性繊維の密度が変化し、溝が深いほど液体吸収性繊維の密度が高くなり、溝が浅いほど液体吸収性繊維の密度が低くなる。図５等に示すように、圧搾部Ｅは左右方向に沿った形状であり、左右方向の長さＷｅは７０ｍｍ、圧搾部Ｅの上下方向の長さＤｅは３ｍｍであり、圧搾部Ｅは上下方向に等間隔に配置されており、上下方向に隣接する圧搾部Ｅ同士の間隔Ｄｕは１０ｍｍである。また、圧搾部Ｅの左右方向の中央は、吸収性コア１１Ａの中央であり、吸収性コア１１Ａは左右対称な形状である。
【００６２】
非圧搾部Ｕは、圧搾部Ｅよりも厚みが大きい。そのため、吸収性コア１１Ａは、非肌側面に凸部と凹部を有することが好ましい。図７Ｂに示すように、吸収性コア１１Ａは、肌側面は概ね平らであり、非肌側面に凸部と凹部を有する。凸部が非圧搾部Ｕであり、凹部が圧搾部Ｅである。このようにすることで、パンツ型のおむつ１の吸収性コア１１Ａの肌側を内側にして、長手方向の中央部で二つ折りにした際に、吸収性コア１１Ａの肌側面で吸収性コア１１Ａの凸部と凹部が干渉し合って吸収性コア１１Ａを曲がりにくくなるのを防ぐことができる。また、肌側面を概ね平らにすることで、着用者に吸収性コア１１Ａの凸凹や剛性の高い圧搾部Ｅによる違和感を生じさせる恐れを軽減させることができる。
【００６３】
図２等に示すように、吸収性コア１１Ａには、腹側胴回り部２０と背側胴回り部３０と前後方向においてそれぞれ重なる重なり領域１１Ｐｆ、重なり領域１１Ｐｂと、それぞれ重ならない非重なり領域１１Ｑｆ、非重なり領域１１Ｑｂを有している。そして、重なり領域１１Ｐｆ、重なり領域１１Ｐｂには、それぞれ圧搾部Ｅが設けて、左右方向の剛性を向上させている。これによって、剛性が向上した重なり領域１１Ｐｆ及び重なり領域１１Ｐｂは、左右方向の平面形状を維持しやすくなっている。吸収性コア１１Ａのうち、乳幼児の動きによって非肌側に浮いてしまう恐れのある重なり領域１１Ｐｆと重なり領域１１Ｐｂの左右方向の剛性を上げることで、乳幼児が動いた場合でも、吸収性コア１１Ａは、左右方向に沿った平面形状を維持しやすく、吸収性本体１０を乳幼児の身体にフィットさせた状態を維持しやすくなる。この結果、吸収性本体１０の左右方向の中央部における上端から上側に向かって排泄物が漏れてしまう恐れを軽減させることができる。
【００６４】
なお、本実施形態においては、重なり領域１１Ｐｆと重なり領域１１Ｐｂの両方に圧搾部Ｅを設けたが、いずれか一方の領域に圧搾部Ｅを設けるものであってもよい。例えば、乳幼児は脚を前側に出した姿勢でいるため、より変形が多く起こる傾向のある腹側の重なり領域１１Ｐｆにのみ圧搾部Ｅを設けるものであってもよい。ただし、重なり領域１１Ｐｆ及び重なり領域１１Ｐｂの両方に圧搾部Ｅを設けることで、腹側及び背側の両方の吸収性本体１０が非肌側に浮いてしまう恐れを軽減させるため、吸収性本体１０を乳幼児の身体によりフィットさせやすくなる。
【００６５】
また、図２等においては、複数の圧搾部Ｅを長手方向に並べて配置したが、圧搾部Ｅは、重なり領域１１Ｐｆ又は重なり領域１１Ｐｂに少なくとも１つ設けるものでもよい。１つの圧搾部Ｅであっても重なり領域１１Ｐｆ又は重なり領域１１Ｐｂの左右方向の剛性を向上させることができる。ただし、図２等に示すように、吸収性コア１１Ａに複数の圧搾部Ｅを設けることで、左右方向の剛性をより向上させることができる。
【００６６】
さらに、図２等に示すように、複数の圧搾部Ｅを上下方向に等間隔に配置することが好ましい。上下方向に等間隔に配置された圧搾部Ｅによって、吸収性コア１１Ａに上下方向に均等な剛性を付与することができるため、吸収性コア１１Ａが偏った変形してしまう恐れを軽減させやすくなる。
【００６７】
圧搾部Ｅの左右方向の中央を吸収性コア１１Ａの左右方向の中央で、且つ吸収性本体１０の左右方向の中央に設けることで、着用者の動きに対して、吸収性コア１１Ａが左右方向について偏った変形をしてしまう恐れを軽減することができる。
【００６８】
重なり領域１１Ｐｆに設けられた全ての圧搾部Ｅの、左右方向の長さＷｅの和（ΣＷｅ）が、上下方向の長さＤｅの和（ΣＤｅ）よりも大きい（ΣＷｅ＞ΣＤｅ）。つまり、図５に示すように、複数の圧搾部Ｅは、前側コア部１１Ａｆには、長手方向に沿って圧搾部Ｅ１、Ｅ２、Ｅ３が腹側から順に配置されている。このとき、重なり領域１１Ｐｆに設けられた全ての圧搾部Ｅ（Ｅ１、Ｅ２、Ｅ３）の左右方向の長さＷｅの和（Ｗｅ１＋Ｗｅ２＋Ｗｅ３）が、全ての圧搾部Ｅ（Ｅ１、Ｅ２、Ｅ３）の上下方向の長さ（Ｄｅ１＋Ｄｅ２＋Ｄｅ３）よりも大きいことが好ましい。これによって、重なり領域１１Ｐｆに設けられた全ての圧搾部Ｅの、左右方向の長さの和（ΣＷｅ）が、上下方向の長さの和（ΣＤｅ）よりも小さい場合よりも、吸収性コア１１Ａの左右方向の剛性を高くすることができ、吸収性コア１１Ａを平面形状に維持しやすくなる。背側胴回り部３０の重なり領域１１Ｐｂに設けられた圧搾部Ｅ４、Ｅ５、Ｅ６についても同様である。
【００６９】
なお、圧搾部Ｅは湾曲した形状であったり、１つ以上の角を有する形状であったりするなど所望の形状でもよい。ただし、所望の形状であっても、全ての圧搾部Ｅの、左右方向の長さＷｅの和（ΣＷｅ）が、上下方向の長さＤｅの和（ΣＤｅ）よりも大きい（ΣＷｅ＞ΣＤｅ）ことが好ましい。全ての圧搾部Ｅの、左右方向の長さの和（ΣＷｅ）が、上下方向の長さの和（ΣＤｅ）よりも小さい場合よりも、吸収性コア１１Ａの左右方向の剛性を高くすることができるためである。
【００７０】
圧搾部Ｅは、左右方向に沿った直線形状であることがより好ましい。剛性を高くした領域が左右方向に沿った直線となるため、吸収性コア１１Ａの左右方向の剛性を増しやすくなり、排泄物を貯留する空間を確保しやすくなる。
【００７１】
上下方向においては、圧搾部Ｅの寸法（Ｄｅ）より、隣接する圧搾部Ｅ同士の間隔の寸法Ｄｕの方が長い（Ｄｅ＜Ｄｕ）。つまり、圧搾部Ｅの上下方向の長さ（Ｄｅ）より、上下方向に隣接する圧搾部Ｅの間隔（Ｄｕ）の方が長いため、上下方向においては、圧搾部Ｅの剛性が高い領域よりも、非圧搾部Ｕの剛性が低い領域の方が長い。そのため、圧搾部Ｅによって吸収性コア１１Ａが硬くなりすぎる恐れを軽減させることができ、着用者が感じる肌触りを向上させることができる。
【００７２】
さらに、前側幅狭部１１ｆｎに設けられている圧搾部Ｅの左右方向の長さ（Ｗｅ）が、最狭部１１ｎの左右方向の長さ（Ｗｎ）以上であることがより好ましい。前側幅狭部１１ｆｎ、最狭部１１ｎを有する吸収性コア１１Ａは、前側幅狭部１１ｆｎ等を有さない吸収性コアよりも左右方向の剛性が低くなってしまう。そのため、左右方向の剛性が最も低い最狭部１１ｎの左右方向の長さ以上の長さを有する圧搾部Ｅを設けることで、圧搾部Ｅの左右方向の長さが最狭部１１ｎの左右方向の長さより短い場合よりも吸収性コア１１Ａの左右方向の剛性を高くすることができる。なお、圧搾部Ｅの左右方向の長さ（Ｗｅ）を長くすればするほど、吸収性コア１１Ａの左右方向の剛性は高くなる。
【００７３】
前側コア部１１Ａｆの重なり領域１１Ｐｆ又は後側コア部１１Ａｂの重なり領域１１Ｐｂにおいて、圧搾部Ｅの左右方向の端が、前側コア部１１Ａｆ又は後側コア部１１Ａｂの左右方向の端に接していないことがより好ましい。つまり、図５において、重なり領域１１Ｐｆ、１１Ｐｂにおいて、圧搾部Ｅの左右方向の各端と、前側コア部１１Ａｆ、後側コア部１１Ａｂの左右方向の端との間に非圧搾部Ｕを有している。重なり領域１１Ｐｆ、重なり領域１１Ｐｂは、腹部や背部に近い領域であるため、圧搾部Ｅを広く形成すると、着用者は吸収性コア１１Ａの硬さを感じてしまう恐れがある。そのため、着用者の腹部やそけい部、背部や臀部の動きを制限し、吸収性コア１１Ａが過度に硬くなるのを防ぐことができる。
【００７４】
図２等に示すように、前側コア部１１Ａｆの、腹側胴回り部２０の下端よりも上側に、上部１１ｆｕよりも左右方向の長さが短い幅狭部１１ｆｎを設けることで、脚を前に出した姿勢の乳幼児の脚の動きを阻害する恐れを軽減させている。このとき、腹側胴回り部２０の下端よりも上側の幅狭部１１ｆｎに１つ以上の圧搾部Ｅを設けることが好ましい。つまり、前側コア部１１Ａｆの重なり領域１１Ｐｆであり、且つ幅狭部１１ｆｎに、１つ以上の圧搾部Ｅを設けることが好ましい。乳幼児が左右方向に脚を閉じると、吸収性コア１１Ａのうち、幅狭部１１ｆｎにおける左右方向の端に左右方向からの力が集中しやすくなる。そのため、幅狭部１１ｆｎは特に左右方向から潰される変形を生じやすい。これを防ぐために、左右方向からの力が集中しやすい重なり領域１１Ｐｆであり、且つ幅狭部１１ｆｎに圧搾部Ｅを設けて左右方向の剛性を高めて、吸収性コア１１Ａの変形を軽減させることが好ましい。
【００７５】
また、図８に示すように、圧搾部Ｅが、前後方向において非伸縮領域Ｆｆや非伸縮領域Ｆｂと重なる位置に設けられていることが好ましい。このようにすることで、圧搾部Ｅが重なり領域１１Ｐｆ及び重なり領域１１Ｐｂの左右方向の剛性を高くするため、乳幼児の動きによって変形しやすい非伸縮領域Ｆｆ及び非伸縮領域Ｆｂを平面形状に保ちやすくすることができ、吸収性本体１０が乳幼児の身体から離れてしまう恐れを軽減することができる。
【００７６】
さらに、前側コア部１１Ａｆ又は後側コア部１１Ａｂの圧搾部Ｅの左右方向の両端が、非伸縮領域Ｆｆ又は非伸縮領域Ｆｂよりもそれぞれ外側に設けられていることが好ましい。図２に示すように、おむつ１は、前側コア部１１Ａｆの圧搾部Ｅの左右方向の両端が、非伸縮領域Ｆｆよりもそれぞれ外側に設けられている。非伸縮領域Ｆｆは、乳幼児の脚の動きによって吸収性本体１０が着用者の肌から離れて浮きやすい。そのため、非伸縮領域Ｆｆよりも左右方向に長い領域に亘って吸収性コア１１Ａの剛性を高めることで、吸収性本体１０が肌に接する状態を保ちやすくなる。また、圧搾部Ｅの左右方向の両端がそれぞれ伸縮領域Ｄｆ内に設けられていることで、伸縮領域Ｄｆが圧搾部Ｅの各両端に左右方向に伸長させる力を加えるため、非伸縮領域Ｆｆと前後方向で重なる吸収性本体１０の部分についても着用者の肌に接した状態を維持しやすく、身体にフィットした状態にさせやすい。
【００７７】
図２の前側コア部１１Ａｆのように、糸ゴム２３ａと前後方向において重なっている圧搾部Ｅを有することが好ましい。圧搾部Ｅと前後方向において重なっている糸ゴム２３ａが伸縮すると、糸ゴム２３ａと前後方向において重なっている圧搾部Ｅは、左右方向に伸長させる力が加えられるため、圧搾部Ｅは平面形状を維持しやすくなり、吸収性本体１０が乳幼児の身体から離れてしまう恐れを軽減させることができる。なお、後側コア部１１Ａｂについても同様の構成にしてもよい。
【００７８】
また、前側コア部１１Ａｆ又は後側コア部１１Ａｂの圧搾部Ｅの左右方向の両端が、非伸縮領域Ｆｆ又は非伸縮領域Ｆｂよりもそれぞれ内側に設けられていてもよい。図２に示すように、おむつ１は、後側コア部１１Ａｆの圧搾部Ｅの左右方向の両端が、非伸縮領域Ｆｂよりもそれぞれ内側に設けられている。吸収性コア１１Ａと後側胴回り伸縮部材３３とが前後方向において重なった領域は、後側胴回り伸縮部材３３が収縮すると硬くなりやすい部分である。その硬くなりやすい部分に圧搾部Ｅを設けると、より硬さを増長させてしまい、乳幼児が感じる肌触りを低下させてしまう恐れがある。そのため、後側コア部１１Ａｆの圧搾部Ｅの左右方向の両端を、非伸縮領域Ｆｂの両端よりもそれぞれ内側に設けることで、着用時の肌触りを向上させることができる。つまり、吸収性本体１０を身体にフィットさせることよりも、吸収性本体１０の肌触りを向上させたい場合には、前側コア部１１Ａｆ又は後側コア部１１Ａｂの圧搾部Ｅの左右方向の両端を、非伸縮領域Ｆｆ又は非伸縮領域Ｆｂよりもそれぞれ内側に設けるとよい。
【００７９】
おむつ１のように、前側コア部１１Ａｆの圧搾部Ｅの左右方向の両端を、非伸縮領域Ｆｆよりもそれぞれ外側に設け、後側コア部１１Ａｆの圧搾部Ｅの左右方向の両端が、非伸縮領域Ｆｂよりもそれぞれ内側に設けることがより好ましい。乳幼児の脚によって吸収性コアが変形しやすい前側コア部１１Ａｆの左右方向の剛性をより高くすることで、前側コア部１１Ａｆの変形を軽減させつつ、変形が比較的少ない後側コア部１１Ａｂについては、左右方向の剛性をより低くして、吸収性コア１１Ａの肌触りを向上させて、吸収性コア１１Ａを乳幼児の身体に沿いやすくさせることができる。
【００８０】
図２等に示すように、圧搾部ＥとスリットＳが、上下方向において重なっていることが好ましい。スリットＳは、吸収性コア１１Ａを乳幼児のお尻の形状に沿いやすくさせるために設けているが、乳幼児の動きによってスリットＳを起点に吸収性コア１１Ａが変形してしまう恐れがある。そのため、スリットＳと上下方向に重なる位置に圧搾部Ｅを設けることで、スリットＳを形成した領域も含めて吸収性コア１１Ａを平面形状に保ちやすくすることができる。
【００８１】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００８２】
上述の実施形態においては、左右方向に沿った直線状の圧搾部Ｅを設けたが、圧搾部の形状はこれに限られない。左右方向に所定の長さを有する圧搾部Ｅであれば、波型等の所望の形状とすることができる。図９は、別の実施形態にかかる吸収体１１を説明する図である。図９においては、吸収性コア１１Ａ等は、コアラップシート１１Ｂに覆われているが、便宜上実線で示している。図９に示すように、腹側に凸形状を有する山型の圧搾部Ｅであってもよい。圧搾部Ｅは、左右方向の一方側から他方側まで連続した連続圧搾形状を有している。圧搾部Ｅの上端のうち、左右方向において、最も下側に位置する部位Ｅｊから最も上側に位置する部位Ｅｋをつなぐ直線と、左右方向に沿った直線とがなす角度のうち、小さい方の角度θｅが４５度よりも小さいことが好ましい（θｅ＜４５°）。これによって、θｅが４５度以上であった場合よりも、圧搾部Ｅによって吸収性コア１１Ａの剛性を高くすることができるため、吸収性コア１１Ａを平面形状で維持しやすくなる。
【００８３】
この場合においても、重なり領域１１Ｐｆに設けられた全ての圧搾部Ｅの、左右方向の長さＷｅの和（ΣＷｅ）が、上下方向の長さＤｅの和（ΣＤｅ）よりも大きい（ΣＷｅ＞ΣＤｅ）。つまり、図９に示すように、重なり領域１１Ｐｆに設けられた複数の圧搾部Ｅは、長手方向に沿って圧搾部Ｅ２１、Ｅ２２、Ｅ２３が腹側から順に配置されている。このとき、重なり領域１１Ｐｆに設けられた全ての圧搾部Ｅ（Ｅ２１、Ｅ２２、Ｅ２３）の左右方向の長さＷｅの和（Ｗｅ２１＋Ｗｅ２２＋Ｗｅ２３）が、重なり領域１１Ｐｆに設けられた全ての圧搾部Ｅ（Ｅ２１、Ｅ２２、Ｅ２３）の上下方向の長さ（Ｄｅ２１＋Ｄｅ２２＋Ｄｅ２３）よりも大きいことが好ましい。これによって、重なり領域１１Ｐｆに設けられた全ての圧搾部Ｅの、左右方向の長さの和（ΣＷｅ）が、上下方向の長さの和（ΣＤｅ）よりも小さい場合よりも、吸収性コア１１Ａの左右方向の剛性を高くすることができる。前側コア部１１Ａｆの重なり領域１１Ｐｆに設けられた圧搾部Ｅについて説明したが、後側コア部１１Ａｂの重なり領域Ｐｂに設けられた圧搾部Ｅについても同様である。
【００８４】
また、吸収性コア１１Ａに施す圧搾部Ｅの左右方向の長さ及び上下方向の長さは、必ずしも全て同じでなくてもよい。おむつ１の圧搾部Ｅは、全ての圧搾部Ｅの左右方向の長さ及び上下方向の長さを同じとしたが、それぞれ異なる長さとすることもできる。
【００８５】
例えば、図１０に示すように、重なり領域１１Ｐｆに設けられた複数の圧搾部Ｅの左右方向の長さはそれぞれ異なっていてもよい。図１０は、別の実施形態にかかる圧搾部Ｅと、伸縮領域Ｄｆ、Ｄｂ及び非伸縮領域Ｆｆ、Ｆｂについて説明する図である。具体的には、最も上側に位置し、左右方向の長さが最も短い短圧搾部Ｅｓと、最も下側に位置し、左右方向の長さが最も長い長圧搾部Ｅｔを有している。短圧搾部Ｅｓの左右方向の両端は、非伸縮領域Ｆｆの左右方向の両端よりもそれぞれ内側に設けられており、長圧搾部Ｅｔの左右方向の両端は、非伸縮領域Ｆｆの左右方向の両端よりもそれぞれ外側に設けられている。つまり、短圧搾部Ｅｓの左右方向の長さは非伸縮領域Ｆｆの左右方向の長さよりも長く、長圧搾部Ｅｔの左右方向の長さは非伸縮領域Ｆｆの左右方向の長さよりも短い。このようにすることで、重なり領域１１Ｐｆのうち、乳幼児の脚の動きに応じて吸収性本体１０が非肌側に浮きやすい下側の領域には、圧搾部Ｅの左右方向の長さを長くして左右方向の剛性をより高めている。一方、重なり領域１１Ｐｆのうち、乳幼児の脚から遠い領域で、吸収性本体１０の動きが小さい上側の領域には、圧搾部Ｅの左右方向の長さを短くして、吸収性コア１１Ａが過度に硬くなって、肌触りが低下してしまう恐れを軽減させることができる。
【００８６】
また、上述の実施形態においては、前側コア部１１Ａｆの重なり領域１１Ｐｆに設けた圧搾部Ｅの左右方向の両端を、非伸縮領域Ｆｆの両端よりも外側に設け、後側コア部１１Ａｂの重なり領域１１Ｐｂに設けた圧搾部Ｅの左右方向の両端を、非伸縮領域Ｆｂの両端よりも内側に設けたが、これに限られない。例えば、腹側及び背側において吸収性本体１０の変形をより防止したい場合には、全ての圧搾部Ｅの両端を非伸縮領域Ｆｆ、Ｆｂの両端よりも外側に設けてもよい。腹側及び背側の肌触りをより向上させたい場合には、全ての圧搾部Ｅの両端を非伸縮領域Ｆｆ、Ｆｂの両端よりも内側に設けてもよい。また、前側コア部１１Ａｆの重なり領域１１Ｐｆに設けた圧搾部Ｅの左右方向の両端を、非伸縮領域Ｆｆの両端よりも内側に設け、後側コア部１１Ａｂの重なり領域１１Ｐｂに設けた圧搾部Ｅの左右方向の両端を、非伸縮領域Ｆｂの両端よりも外側に設けてもよい。このようにすることで、腹側においては、乳幼児の身体は腹部が前にせり出しているため、腹側胴回り伸縮部材２３の収縮によって縮められた吸収性コア１１Ａと圧搾部Ｅが重なってしまって吸収性本体１０が硬くなってしまい肌触りが低下してしまう恐れを軽減することができる。一方、背側においては、より左右方向に長い圧搾部を設けることで吸収性コア１１Ａを左右方向に平面形状に維持しやすくすることができるため、吸収性コアを肌に密着させやすくすることができる。
【００８７】
さらに、おむつ１のように、図８に示すように、前側コア部１１Ａｆの重なり領域１１Ｐｆに設けた圧搾部Ｅの左右方向の長さを重なり領域１１Ｐｂに設けた圧搾部Ｅの左右方向の長さよりも長くし、重なり領域１１Ｐｆに設けた圧搾部Ｅの両端を、非伸縮領域Ｆｆの両端よりも外側に設け、且つ、後側コア部１１Ａｂの重なり領域１１Ｐｂに設けた圧搾部Ｅの左右方向の両端を、非伸縮領域Ｆｂの両端よりも内側に設けることがより好ましい。乳幼児は、脚を前に出した姿勢でいることが多いため、脚の動きによって変形しやすい吸収性本体１０の前側コア部１１Ａｆには、左右方向の剛性をより高くして、前側コア部１１Ａを平面形状に維持しやすくする。一方、吸収性本体１０の変形がより少ない後側コア部１１Ａｂには、左右方向の剛性を高くしすぎないようにして、着用者の身体に沿いやすくさせ、肌触りを向上させる。
【００８８】
上述の実施形態においては、腹側胴回り部２０及び背側胴回り部３０は、それぞれ非伸縮領域Ｆｆ、Ｆｂを備えていたが、必ずしも非伸縮領域Ｆｆ、Ｆｂを必ずしも備えていなくてもよい。腹側胴回り部２０及び背側胴回り部３０が非伸縮領域Ｆｆ、Ｆｂを備えない場合には、吸収性本体１０は、腹側胴回り伸縮部材２３及び背側胴回り伸縮部材３３の伸縮力と、吸収性コア１１Ａに設けられた圧搾部Ｅによって、乳幼児の身体により密着させやすくすることができる。
【００８９】
上述の実施形態においては、圧搾部Ｅを上下方向において等間隔に配置したが、これに限られない。圧搾部Ｅを不等間隔に配置してもよい。例えば、図１２は、別の実施形態にかかる展開状態且つ伸長状態のおむつ１を肌側から見た概略平面図である。図１２に示すように、重なり領域１１Ｐｆに設けた複数の圧搾部Ｅｙ、Ｅｚのうち、最も下側に位置する胴回り下側圧搾部Ｅｙと、胴回り下側圧搾部Ｅｙに上側から隣接する隣接胴回り下側圧搾部Ｅｚとの間隔Ｄｙｚは、非重なり領域１１Ｑｆに設けた複数の圧搾部Ｅａ、Ｅｂ、Ｅｃ、Ｅｄのうち、最も下側に位置する下側圧搾部Ｅａと、下側圧搾部Ｅａに上側から隣接する隣接下側圧搾部Ｅｂとの間隔Ｄａｂよりも大きくてもよい（Ｄｙｚ＞Ｄａｂ）。さらに、非重なり領域１１Ｑｆに設けた複数の圧搾部Ｅａ、Ｅｂ、Ｅｃ、Ｅｄのうち、最も上側に位置する上側圧搾部Ｅｃと、上側圧搾部Ｅｃに下側から隣接する隣接上側圧搾部Ｅｄとの間隔Ｄｃｄよりも、最も下側に位置する下側圧搾部Ｅａと、下側圧搾部Ｅａに上側から隣接する隣接下側圧搾部Ｅｂとの間隔Ｄａｂは小さい（Ｄａｂ＜Ｄｃｄ）。
【００９０】
このようにすることで、吸収性コア１１Ａの変形がより起こりやすい非重なり領域１１Ｑｆには、より多くの圧搾部Ｅを設けることで剛性をより向上させて、吸収性コア１１Ａの平面形状を維持しやすくすることができる。吸収性コア１１Ａの変形がより少ない重なり領域１１Ｐｆには、圧搾部Ｅをより少なく設けることで吸収性本体１０の肌触りをより向上させることができる。また、非重なり領域１１Ｑｆのうち、より脚回り開口部ＬＨに近い下側の領域には、より多くの圧搾部Ｅを設けて、吸収性本体１１Ａの左右方向の剛性を高めて、吸収性コア１１Ａの変形を軽減することができる。一方、より脚回り開口部ＬＨから遠い上側の領域には、より少ない圧搾部Ｅとすることで、吸収性本体１１Ａを過度に硬くしてしまうことを軽減して、吸収性本体１０の肌触りを向上させることができる。
【００９１】
上述の実施形態においては、吸収性コア１１Ａに、全て同じ溝の深さの圧搾部Ｅを複数形成したが、これに限られない。吸収性コア１１Ａ内において、異なる深さの圧搾部Ｅを形成してもよい。例えば、前側コア部１１Ａｆのうち、より左右方向の剛性を高くしたい前側コア部Ａの下側の領域には、より深い溝の圧搾部Ｅを形成し、腹側胴回り部２０に近い部分には、より浅い溝の圧搾部Ｅを形成してもよい。
【００９２】
さらに、本実施形態においては、前側コア部１１Ａｆに最狭部１１ｎを備える吸収性コア１１Ａとしたがこれに限られない。例えば、吸収性コア１１Ａは、最狭部１１ｎをおむつ１の下部に備え、前側コア部１１Ａｆから後側コア部１１Ａｂに連続した領域に設けていてもよい。また、幅狭部１１ｆｎ、１１ｂｎを有さない長方形の吸収性コア１１Ａであってもよい。
【００９３】
上述の実施形態においては、パンツ型吸収性物品は、腹側胴回り部２０と背側胴回り部３０と吸収性本体１０とを有する所謂３ピースタイプの使い捨ておむつとして説明したがこれに限られない。例えば、外装シート１４が腹側胴回り部２０と後胴回り３０とを繋いで一体化されたおむつ（所謂２ピースタイプ）であってもよい。
【００９４】
上述の実施形態においては、腹側胴回り部２０、背側胴回り部３０、防漏壁部５０、及び脚回り部６０が備える伸縮部材（２２、３２、５１、１６）として糸ゴム及び伸縮不織布を例示しているがこれに限らない。例えば、糸ゴムや伸縮不織布だけでなく、伸縮性フィルム等のシート状の伸縮部材を単数又は複数配してもよい。また、図面には伸縮部材のうち伸縮性を発現する部位（所謂有効長の部位）のみを示している。そのため図示する伸縮部材の長手方向の外側に伸縮性を発現しない伸縮部材の部位が存在していてもよい。また、伸縮部材の配置や本数も図示する構成に限らない。
【符号の説明】
【００９５】
１  おむつ（パンツ型使い捨ておむつ、パンツ型吸収性物品）、
１０  吸収性本体、
１１  吸収体、
１１Ａ  吸収性コア、１１Ｂ  コアラップシート、
１１Ａｆ  前側コア部、１１Ａｂ  後側コア部、
１１ｆｕ  上部、１１ｆｎ  前側幅狭部（幅狭部）、
１１ｂｕ  上部、１１ｂｎ  後側幅狭部（幅狭部）、１１ｎ  最狭部、
１１Ｐｆ  重なり領域、１１Ｐｂ  重なり領域、
１１Ｑｆ  非重なり領域、１１Ｑｂ  非重なり領域、
１２  トップシート、１３  バックシート、
１４  外装シート、１５  防漏壁部材、１６  脚回り伸縮部材、
２０  腹側胴回り部、２０ａ  側部、
２１  肌側シート、２２  非肌側シート、
２３  腹側胴回り伸縮部材（胴回り伸縮部材）、２３ａ  糸ゴム、２３ｂ  伸縮シート、
３０  背側胴回り部、３０ａ  側部、
３１  肌側シート、３２  非肌側シート、
３３  背側胴回り伸縮部材（胴回り伸縮部材）、
５０  防漏壁部、５１  防漏壁伸縮部材、
５２  エンド接合部、５３  サイド接合部、
５５  固定部、５６  起立部、
６０  レッグギャザー部、
ＬＨ  脚回り開口部、ＢＨ  胴回り開口部、
Ｄｆ  伸縮領域、Ｄｂ  非伸縮領域、
Ｆｆ  伸縮領域、Ｄｂ  非伸縮領域、
Ｅ  圧搾部、
Ｅａ  下側圧搾部、Ｅｂ  隣接下側圧搾部、
Ｅｃ  上側圧搾部、Ｅｄ  隣接上側圧搾部、
Ｅｓ  端圧搾部、Ｅｔ  長圧搾部、
Ｅｙ  胴回り下側圧搾部、Ｅｚ  隣接胴回り下側圧搾部、
Ｌ  非伸縮領域、
Ｓ  スリット（貫通孔）、
Ｕ  非圧搾部
【図１】
2019118584.tif 000003
【図２】
2019118584.tif 000004
【図３】
2019118584.tif 000005
【図４】
2019118584.tif 000006
【図５】
2019118584.tif 000007
【図６】
2019118584.tif 000008
【図７】
2019118584.tif 000009
【図８】
2019118584.tif 000010
【図９】
2019118584.tif 000011
【図１０】
2019118584.tif 000012
【図１１】
2019118584.tif 000013
【図１２】
2019118584.tif 000014